(57)【要約】【課題】  特定のスイッチが故障したとき、故障したスイッチの機能を他のスイッチで代用させることができるスイッチ制御装置を提案する。【解決手段】  押し操作でオン信号Ｓ１１を、その非操作でオフ信号Ｓ１２を出力するエアコンスイッチ１６と、前記オン信号Ｓ１１に応じエアコン２０の動作制御信号Ｓ２１または停止制御信号Ｓ２２を切り換えて出力すると共に、それら動作制御信号Ｓ２１または停止制御信号Ｓ２２を記憶する記憶部１９を備えるマイコン１８と、前記マイコン１８を動作モードまたは非動作モードとするイグニッションスイッチ２１とを備えたスイッチ制御装置において、前記マイコン１８が動作モードに移るとき、前記エアコンスイッチ１６の故障により、オン信号Ｓ１１が入力されれば、前記記憶部１９の記憶内容を反転して動作制御信号Ｓ２１または停止制御信号Ｓ２２を出力させる反転動作手段２２を備えた構成としてある。【選択図】図２
2010129338.tif 000002
【特許請求の範囲】
【請求項１】
操作部の操作でオン信号を、その非操作でオフ信号を出力するモーメンタリー式の操作スイッチと、
前記操作スイッチのオン信号に応じ被制御部の動作制御信号または停止制御信号を切り換えて出力すると共に、それら動作制御信号または停止制御信号を記憶する記憶部とを備えるコントローラと、
前記コントローラを動作モードとする起動信号と、非動作モードとする休止信号とを出力するメインスイッチとを備えたスイッチ制御装置において、
前記コントローラがメインスイッチから起動信号を入力し動作モードに移るとき、前記操作スイッチの操作または非操作に係わらずオン信号が入力されれば、前記記憶部の記憶内容を反転し、反転させた動作制御信号または停止制御信号を出力させる反転動作手段を備えて構成したことを特徴とするスイッチ制御装置。
【請求項２】
請求項１に記載したスイッチ制御装置において、
前記コントローラが前記メインスイッチからの休止信号によって非動作モードとなり、その後、このコントローラが前記メインスイッチから起動信号を入力して動作モードに移るとき、前記操作スイッチの操作または非操作に係わらずオン信号が入力されれば、前記コントローラが非動作モードとなる直前に前記記憶部の記憶されていた記憶内容を前記反転動作手段によって反転し、動作制御信号または停止制御信号として出力する構成としたことを特徴とするスイッチ制御装置。
【請求項３】
請求項１に記載したスイッチ制御装置において、
前記コントローラが自己監視リセット機能によってリセットされ、その後、自己監視リセット機能が回復して再起動したとき、または、前記コントローラの電源が切断され、その後、電源が接続され、前記コントローラが再起動したとき、前記操作スイッチの操作または非操作に係わらずオン信号が入力されれば、前記コントローラがリセットされる直前、または、前記コントローラの電源が切断される直前に、前記記憶部に記憶されている記憶内容を動作制御信号または停止制御信号として出力する構成としたことを特徴とするスイッチ制御装置。
【請求項４】
請求項３に記載したスイッチ制御装置において、
前記コントローラには、前記操作スイッチのオン信号またはオフ信号を検出し、それらの信号の電圧値によって書き換えられる入力設定値が設定される監視メモリを設け、
前記メインスイッチからの起動信号が前記コントローラに入力されることにより、前記監視メモリの前記入力設定値を前記操作スイッチのオフ信号の電圧値に設定し、前記コントローラが前記自己監視リセット機能によりリセットされ、または、前記コントローラの電源が切断され、その後、前記コントローラが再起動したときは、前記監視メモリの前記入力設定値を前記操作スイッチのオン信号の電圧値に設定する入力設定回路を設けたことを特徴とするスイッチ制御装置。
【発明の詳細な説明】
【技術分野】
【０００１】
本発明は、１つのスイッチが故障したとき、スイッチの故障に連動させてそのスイッチの機能を他のスイッチに自動的に付加させ、他のスイッチが自己本来のスイッチ機能の他に故障したスイッチのスイッチ機能をも果たす構成としたスイッチ制御装置に関する。
【背景技術】
【０００２】
スイッチが故障した時、コントロールユニットが故障したスイッチ機能を所定のスイッチに割り当てる構成の車載用電子部品の制御システムが知られている。
この種の制御システムは、運転者が緊急用のスイッチ（切換スイッチ）をＯＮ／ＯＦＦすることにより、スイッチ本来の機能と割り当てられた代用機能とを切り替えて使用することができる。
【０００３】
ただ、この制御システムは、使用頻度の高い機能または重要な機能のスイッチが故障した場合でも、機能を割り当てた所定のスイッチの代用機能となってしまうため、切換スイッチの操作後でなければ、故障スイッチの代用スイッチとして操作を行うことができないと言う問題がある。
【０００４】
そこで今日では、スイッチ間に予め優先度を定めておき、故障したスイッチと機能割当先となるスイッチの優先度を比較し、機能割当先のスイッチの優先度が高いときは、故障したスイッチの機能をサブ機能、その優先度が低いときは故障したスイッチ機能をメイン機能として動作させる構成の制御システムがある。
【０００５】
【特許文献１】特開２０００−１００２７１号公報
【特許文献２】特開２００４−２０７０６０号公報
【発明の開示】
【発明が解決しようとする課題】
【０００６】
上記した制御システムは、故障したスイッチの使用頻度や重要度などに応じ、メイン機能またはサブ機能となるようにして他のスイッチに割り当て、運転者が切換スイッチ操作によってメイン機能とサブ機能とを切り換え割当先スイッチを使用するものとなっているため、スイッチ機能処理が複雑となる。
【０００７】
そこで、本発明では、スイッチが故障した時、スイッチ故障に連動してそのスイッチの機能を他のスイッチに自動的に付加させ、他のスイッチが自身のスイッチ機能に加えて故障したスイッチの機能をも果たす構成とし、切換スイッチ操作を必要としない簡単なスイッチ機能処理とすることができるスイッチ制御装置を提案することを目的とする。
【課題を解決するための手段】
【０００８】
本発明は上記した目的を達成するために、第１の発明として、操作部の操作でオン信号を、その非操作でオフ信号を出力するモーメンタリー式の操作スイッチと、前記操作スイッチのオン信号に応じ被制御部の動作制御信号または停止制御信号を切り換えて出力すると共に、それら動作制御信号または停止制御信号を記憶する記憶部とを備えるコントローラと、前記コントローラを動作モードとする起動信号と、非動作モードとする休止信号とを出力するメインスイッチとを備えたスイッチ制御装置において、前記コントローラがメインスイッチから起動信号を入力し動作モードに移るとき、前記操作スイッチの操作または非操作に係わらずオン信号が入力されれば、前記記憶部の記憶内容を反転し、反転させた動作制御信号または停止制御信号を出力させる反転動作手段を備えて構成したことを特徴とするスイッチ制御装置を提案する。
【０００９】
第２の発明としては、第１の発明のスイッチ制御装置において、前記コントローラが前記メインスイッチからの休止信号によって非動作モードとなり、その後、このコントローラが前記メインスイッチから起動信号を入力して動作モードに移るとき、前記操作スイッチの操作または非操作に係わらずオン信号が入力されれば、前記コントローラが非動作モードとなる直前に前記記憶部の記憶されていた記憶内容を前記反転動作手段によって反転し、動作制御信号または停止制御信号として出力する構成としたことを特徴とするスイッチ制御装置を提案する。
【００１０】
第３の発明としは、第１の発明のスイッチ制御装置において、前記コントローラが自己監視リセット機能によってリセットされ、その後、自己監視リセット機能が回復して再起動したとき、または、前記コントローラの電源が切断され、その後、電源が接続され、前記コントローラが再起動したとき、前記操作スイッチの操作または非操作に係わらずオン信号が入力されれば、前記コントローラがリセットされる直前、または、前記コントローラの電源が切断される直前に、前記記憶部に記憶されている記憶内容を動作制御信号または停止制御信号として出力する構成としたことを特徴とするスイッチ制御装置を提案する。
【００１１】
第４の発明としては、第３の発明のスイッチ制御装置において、前記コントローラには、前記操作スイッチのオン信号またはオフ信号を検出し、それらの信号の電圧値によって書き換えられる入力設定値が設定される監視メモリを設け、前記メインスイッチからの起動信号が前記コントローラに入力されることにより、前記監視メモリの前記入力設定値を前記操作スイッチのオフ信号の電圧値に設定し、前記コントローラが前記自己監視リセット機能によりリセットされ、または、前記コントローラの電源が切断され、その後、前記コントローラが再起動したときは、前記監視メモリの前記入力設定値を前記操作スイッチのオン信号の電圧値に設定する入力設定回路を設けたことを特徴とするスイッチ制御装置を提案する。
【発明の効果】
【００１２】
第１、第２の発明のスイッチ制御装置は、コントローラが起動され動作モードに移ったとき、前記操作スイッチのオフ信号が入力されれば、前記記憶部に記憶されている記憶内容が動作制御信号または停止制御信号を出力させる。
また、コントローラが起動され動作モードに移ったとき、前記操作スイッチの操作または非操作に係わらずオン信号が入力されれば、前記記憶部に記憶されている記憶内容が反転動作手段によって反転され、反転された動作制御信号または停止制御信号を出力させる。
【００１３】
すなわち、操作スイッチの操作または非操作に係わらず、コントローラの起動時に、その操作スイッチのオン信号を入力することは、操作スイッチが故障し、常にオン信号を出力する状態となっている。
したがって、操作スイッチでは被制御部を動作または動作停止することができないため、メインスイッチによるコントローラの起動に伴って記憶部の記憶内容を反転させ、動作制御信号または停止制御信号を出力させる。
【００１４】
具体的には、コントローラの起動時に操作スイッチのオン信号が入力されることで、操作スイッチが操作されたと同様に処理を進めて記憶部の記憶内容を反転し、動作制御信号または停止制御信号を出力させて被制御部を制御する。
【００１５】
第３、第４の発明のスイッチ制御装置は、前記コントローラが自己監視リセット機能によってリセットされ、その後、自己監視リセット機能が回復して再起動したとき、または、前記コントローラの電源が切断され、その後、電源が接続され、コントローラが再起動したとき、前記操作スイッチの操作または非操作に係わらずオン信号が入力されたとしても、記憶部に記憶されている記憶内容を反転せずに、動作制御信号または停止制御信号を出力し、被制御部を制御する。
【００１６】
このように構成したスイッチ制御装置は、自己監視リセット機能によってリセットされたコントローラが再度起動し、また、電源が切断された後、電源が接続されてコントローラが再起動したときは、コントローラが運転者の意図にしたがうメインスイッチの起動信号で起動していないので、記憶部の記憶内容を反転させない。
【発明を実施するための最良の形態】
【００１７】
次に、車載用のヒーターコントロール装置として実施したスイッチ制御装置について図面に沿って説明する。
図１は、ヒーターコントロール装置１００の操作部を示した正面図で、図示する如く、この操作部の操作パネル１０には、風量調節用のダイヤル操作ノブ１１と温度調節用のダイヤル操作ノブ１２が回動可能に設けられ、その他に、エアコンスイッチ（ＡＣ・ＳＷ）１６の操作ボタン１４が設けられている。
【００１８】
また、操作ボタン１４の操作でエアコンが動作しているときは、エアコン動作中であることを示すランプ（ＬＥＤ）１５が点灯する。
なお、エアコンスイッチ１６は、操作ボタン１４がばね勢力で復動する常開形の押しボタンスイッチで、本実施形態では、操作ボタン１４を押し操作することでオン信号（Ｈｉｇｈ）Ｓ１１を、操作ボタン１４から手を放して非操作とすることでオフ信号（Ｌｏｗ）Ｓ１２を出力するモーメンタリー式の操作スイッチとなっている。
【００１９】
図２は、上記したヒーターコントロール装置１００の回路例を簡略的に示したブロック図で、エアコンスイッチ１６のオン／オフ信号（Ｓ１１／Ｓ１２）がインタフェース回路１７を介してコントローラとしてのマイコン（マイクロコンピュータ）１８に入力される。
【００２０】
マイコン１８は、エアコンスイッチ１６からのオン信号Ｓ１１を入力しない限り、記憶部１９の記憶内容を読み出し、この記憶内容をエアコン（エア・コンディショナ）２０の動作制御信号Ｓ２１または停止制御信号Ｓ２２としてインタフェース回路１７を介して出力する。
なお、ランプ１５は、動作制御信号Ｓ２１の出力を受けて点灯し、停止制御信号Ｓ２２を受けて消灯する。
【００２１】
一方、マイコン１８は、イグニッションスイッチ（ＩＧ・ＳＷ）２１の起動信号Ｓ３１を入力して動作モード、そのスイッチ２１の休止信号Ｓ３２を入力して非動作モードとなる。
すなわち、イグニッションスイッチ２１はエンジン始動用のスイッチであり、このスイッチ２１を操作して起動信号Ｓ３１／休止信号Ｓ３２を出力させ、これら起動信号Ｓ３１／休止信号Ｓ３２をインタフェース回路１７を介してマイコン１８に入力させる。
【００２２】
また、マイコン１８は、記憶部１９の記憶内容を反転させる反転動作手段２２と、エアコンスイッチ１６のオン／オフ信号（Ｓ１１／Ｓ１２）を検出し、所定の電圧値（ＨｉｇｈまたはＬｏｗ）によって入力設定値が書き換えられる監視メモリ２３と、この監視メモリ２３の入力設定値をイグニッションスイッチ２１からの起動信号Ｓ３１に応じて設定する入力設定回路２４と、自己監視リセット機能としてウォッチドック機能などを備えている。
本実施形態では、入力設定回路２４は、マイコン１８がイグニッションスイッチ２１の休止信号Ｓ３２により非動作モードとされた後、イグニッションスイッチ２１の起動信号Ｓ３１により動作モードとなったときには、監視メモリ２３の入力設定値をＬｏｗ電圧に設定する。
一方、マイコン１８が、ウォッチドック機能によってリセットされた後、再起動するとき、また、マイコン１８からバッテリー２５が切断された後、バッテリー２５が接続されて再起動するときの初期設定処理に応じ入力設定回路２４により、監視メモリ２３の入力設定値をＨｉｇｈ電圧に設定するものとしている。
なお、監視メモリ２３は、エアコンスイッチ１６のオン／オフ信号（Ｓ１１／Ｓ１２）を検出すると、検出した信号の電圧値を入力設定値として記憶するように構成されている。
【００２３】
続いて、上記したヒーターコントロール装置の動作について説明する。
先ず、エアコンスイッチ１６が正常動作する場合について述べる。
エアコンスイッチ１６が正常動作する場合は、エアコンスイッチ１６が押し操作される毎に、動作制御信号Ｓ２１から停止制御信号Ｓ２２に、また、この逆に、停止制御信号Ｓ２２から動作制御信号Ｓ２１に切換えられる。
イグニッションスイッチ２１の操作により、起動信号Ｓ３１がマイコン１８に入力し、マイコン１８が動作モードとなるが、その後、エアコンスイッチ１６の操作ボタン１４が操作されなければ、このスイッチ１６がオフ状態となっているから、エアコンスイッチ１６のオフ信号（Ｌｏｗ）Ｓ１２が監視メモリ２３によって検出される。
【００２４】
したがって、監視メモリ２３の入力設定値（Ｌｏｗ）と検出しているオフ信号（Ｌｏｗ）の電圧値が同じ（非カウント）となるため、反転動作手段２２は動作しない。
この結果、記憶部１９の記憶内容が読み出され、この記憶内容が動作制御信号Ｓ２１または停止制御信号Ｓ２２として出力される。
【００２５】
すなわち、マイコン１８が前回の動作モードから非動作モードに移る直前に記憶部１９に記憶された記憶内容、例えば、エアコンの動作中にマイコン１８が非動作モードとなっておれば、記憶部１９の記憶内容が動作制御メモリの状態となっていることから、マイコン１８の起動に伴って記憶部１９から読み出された記憶内容が動作制御信号Ｓ２１として出力され、エアコン２０が動作制御される。
なお、このとき、ランプ１５が点灯してエアコン２０が動作中であることを表示する。
下記表１の動作パターンＡ１参照。
【００２６】
上記のエアコン動作状態でエアコンスイッチ１６を押し操作すると、オン信号（Ｈｉｇｈ）Ｓ１１がマイコン１８に入力され、このオン信号（Ｈｉｇｈ）Ｓ１１が監視メモリ２３によって検出される。
すなわち、監視メモリ２３は、入力設定値（Ｌｏｗ）をＨｉｇｈ電圧に書き換える。
この結果、監視メモリ２３の検出に応動して反転動作手段２２が記憶部１９の記憶内容を反転し、動作制御信号Ｓ２１を停止制御信号Ｓ２２に換えて出力する。
したがって、エアコン２０が停止し、ランプ１５が消灯する。
なお、エアコンスイッチ１６の押し操作が解放されると、オフ信号（Ｌｏｗ）Ｓ１２がマイコン１８に入力され、このオフ信号（Ｌｏｗ）Ｓ１２が監視メモリ２３により検出されるため、監視メモリ２３は入力設定値をＨｉｇｈ電圧からＬｏｗ電圧に書き換える。
このように監視メモリ２３の入力設定値がＨｉｇｈ電圧からＬｏｗ電圧に切り換わるときは、反転動作手段２２は動作しないようになっている。
下記表１の動作パターンＡ２参照。  
【００２７】
また、マイコン１８が前回の動作モードから非動作モードに移る直前に記憶部１９に記憶された記憶内容が停止制御メモリの状態となっておれば、マイコン１８が動作モードに移るとき、記憶部１９から読み出された記憶内容が停止制御信号Ｓ２２として出力され、エアコン２０が停止したままとなる。
なお、このとき、ランプ１５が消灯してエアコン２０が停止していることを表示する。
下記表１動作パターンＡ３参照。
【００２８】
この動作パターンＡ３において、エアコンスイッチ１６を押し操作すると、オン信号（Ｈｉｇｈ）Ｓ１１がマイコン１８に入力するから、監視メモリ２３の入力設定値がＬｏｗ電圧からＨｉｇｈ電圧に書き換えられることにより、このオン信号Ｓ１１が検出されて反転動作手段２２が動作し、停止制御信号Ｓ２２が反転され、動作制御信号Ｓ２１の出力により、エアコン２０が動作し、ランプ１５が点灯する。
下記表１の動作パターンＡ４参照。
【００２９】
【表１】
2010129338.tif 000003
【００３０】
一方、エアコンスイッチ１６が故障し、オン信号（Ｈｉｇｈ）Ｓ１１が継続して出力する故障状態となった場合について説明する。
この場合には、エアコンスイッチ１６の押し操作ではエアコン制御することができない。
したがって、本実施形態のヒーターコントロール装置は、エアコンスイッチ１６の故障が改善されるまでの間、イグニッションスイッチ２１の操作によってエアコン制御することができる構成となっている。
【００３１】
たとえば、記憶部１９の記憶内容が動作制御メモリとなっている状態でマイコン１８が起動されると、マイコン１８の起動に伴ってエアコンスイッチ１６のオン信号（Ｈｉｇｈ）Ｓ１１がマイコン１８に入力されることにより、監視メモリ２３の入力設定値がＬｏｗ電圧からＨｉｇｈ電圧へ書き換えられるため、このオン信号（Ｈｉｇｈ）が検出されるので、監視メモリ２３の検出に応動して反転動作手段２２が動作し、記憶部１９から読み出した記憶内容が反転し、停止制御信号Ｓ２２を出力する。
したがって、エアコンスイッチ１６が押し操作されたか否かに関係なくエアコン２０が停止動作となり、ランプ１５が消灯する。
上記表１の動作パターンＡ２参照。
【００３２】
上記とは反対に、記憶部１９の記憶内容が停止制御メモリとなっている状態でマイコン１８が起動されると、上記同様に、マイコン１８の起動に伴ってエアコンスイッチ１６のオン信号Ｓ１１が監視メモリ２３によって検出されるので、監視メモリ２３の検出に応動して反転動作手段２２が動作し、記憶部１９の記憶内容を反転し、動作制御信号Ｓ２１を出力する。
したがって、エアコンスイッチ１６が押し操作されたか否かに関係なくエアコン２０が動作され、ランプ１５が点灯する。
上記表１の動作パターンＡ４参照。
【００３３】
図３は、（Ａ）図に示すように、エアコン２０の動作中（ランプ１５点灯中）にエアコンスイッチ１６が故障し、オン信号（Ｈｉｇｈ）Ｓ１１が継続して出力される状態になったときに行うエアコン制御について、イグニッションスイッチ２１とランプ１５との関係をもって示してある。
具体的には、図３（Ａ）に示すように、エアコン２０を動作させるために操作ボタン１４を押し操作したときに、エアコンスイッチ１６が復帰しなくなる等の、所謂オン故障状態となると、オン信号（Ｈｉｇｈ）が継続的に出力されたままとなるが、オン信号（Ｈｉｇｈ）を検出した時点で、監視メモリ２３の入力設定値がＬｏｗ電圧からＨｉｇｈ電圧に切り換えられるため、反転動作手段２２が動作し、マイコン１８の記憶部１９に記憶されている停止制御メモリが反転して読み出され、動作制御信号Ｓ２１として出力される。
しかし、オン故障状態では、そのままオン信号（Ｈｉｇｈ）Ｓ１１が継続して検出されるため、監視メモリ２３の入力設定値は、Ｈｉｇｈ電圧のまま（非カウント）となり、反転動作手段２２が動作されることはない。
したがって、エアコン２０が運転状態のままとなり、エアコンスイッチ１６ではエアコン２０を停止させることができず、ランプ１５も点灯したままとなる。
【００３４】
このような動作状態で、イグニッションスイツチ２１をＯＮからＯＦＦに戻してマイコン１８を非動作モードすると、動作制御信号Ｓ２１が消失する。
したがって、図３（Ｂ）の如く、エアコン２０が停止し、ランプ１５が消灯する。
【００３５】
その後、イグニッションスイッチ２１をＯＮにして起動信号Ｓ３１によりマイコン１８を動作モードとすると、入力設定回路２４によって監視メモリ２３の入力設定値がＨｉｇｈ電圧からＬｏｗ電圧に切り換えられる。
そのため、オン故障しているエアコンスイッチ１６のオン信号Ｓ１１（Ｈｉｇｈ）を検出することにより、監視メモリ２３の入力設定値がＬｏｗ電圧からＨｉｇｈ電圧へ書き換えられ、反転動作手段２２が反転動作する。
すなわち、マイコン１８はエアコンスイッチ１６が操作されたと同様に判断し、記憶部１９に記憶されている記憶内容（このときは、動作制御メモリ）を反転し、停止制御信号Ｓ２２を出力する。
したがって、図３（Ｃ）の如く、エアコン２０は停止し、ランプ１５は消灯する。
【００３６】
次に、再度イグニッションスイッチ２１をＯＦＦさせると、マイコン１８が非動作モードとなり、停止制御信号Ｓ２２が消失する。
したがって、図３（Ｄ）の如く、エアコン２０が停止状態のまま、ランプ１５も消灯状態のままとなる。
【００３７】
その後、再び、イグニッションスイツチ２１をＯＮにしてマイコン１８を動作モードとすると、入力設定回路２４が監視メモリ２３の入力設定値をＬｏｗ電圧に切り換えるため、エアコンスイッチ１６のオン信号（Ｈｉｇｈ）Ｓ１１が再度入力されると、このオン信号（Ｈｉｇｈ）Ｓ１１が監視メモリ２３によって検出される。
したがって、監視メモリ２３のオン信号（Ｈｉｇｈ）検出に応動して、反転動作手段２２が動作し、記憶部１９の記憶内容（このときは、停止制御メモリ）を反転し、動作制御信号Ｓ２１を出力し、図３（Ｅ）に示すように、エアコン２０が動作し、ランプ１５が点灯する。
【００３８】
上記した通り、本実施形態のヒーターコントロール装置によれば、マイコン１８には、イグニッションスイッチ２１の起動信号Ｓ３１によりマイコン１８を動作モードにしたときに、監視メモリ２３の入力設定値をエアコンスイッチ１６のオフ信号と同じＬｏｗ電圧に設定する入力設定回路２４を設け、監視メモリ２３がオン信号Ｓ１１（Ｈｉｇｈ）を検出することにより、入力設定値をＬｏｗ電圧からＨｉｇｈ電圧へ切り換えることに応動して、記憶部１９に記憶されている制御信号（Ｓ２１／Ｓ２２）を反転して出力する反転動作手段２２を設けたので、エアコンスイッチ１６が正常なときと、故障したときとでのマイコン１８のスイッチ機能処理が同等となる。
したがって、エアコンスイッチ１６の故障対策としてマイコン１８の簡単な信号処理構成によって行うことができる。
【００３９】
他方、上記のように構成したヒーターコントロール装置は、マイコン１８がウォッチドック機能によってリセットされ、その後、再起動されたとき、或いは、マイコン１８の電源２５が切断され、その後、再起動されたときにおいても、上記同様にエアコンスイッチ１６のオン信号（Ｈｉｇｈ）Ｓ１１を入力する。
したがって、マイコン１８の再起動時に監視メモリ２３の入力設定値がＬｏｗ電圧に設定されると、監視メモリ２３のオン信号（Ｈｉｇｈ）検出に応動して反転動作手段２２が作動し、記憶部１９に記憶されている記憶内容が反転して読み出され、運転者の意思に関係なくエアコン２０の運転や運転停止が行なわれると言う問題が生ずる。
【００４０】
この問題を解決するため、本実施形態のヒーターコントロール装置は、マイコン１８がウォッチドック機能によってリセットされた後、再起動される場合やマイコン１８の電源２５が切断された後、再起動される場合には、入力設定部２４がマイコン１８の初期設定に応じて監視メモリ２３の入力設定値をＨｉｇｈ電圧（カウント不能）に設定し、エアコンスイッチ１６のオン信号Ｓ１１を検出しない構成としてある。
【００４１】
したがって、監視メモリ２３の入力設定値をＬｏｗ電圧からＨｉｇｈ電圧に切り換えて設定することにより、反転動作手段２２は作動しないため、動作制御信号Ｓ２１／停止制御信号Ｓ２２がマイコン１８が再起動されたときの記憶部１９の記憶内容にしたがって出力される。
具体的には、マイコン１８の起動時の記憶部１９の記憶内容が動作制御メモリとなっておれば、エアコンスイッチ１６の出力状態に関係なく、動作制御信号Ｓ２１が出力される。
上記表１の動作パターンＢ１、Ｂ２参照。
【００４２】
上記とは反対に、マイコン１８の起動時の記憶部１９の記憶内容が停止制御メモリとなっておれば、エアコンスイッチ１６の出力状態に関係なく、停止制御信号Ｓ２２が出力される。
上記表１の動作パターンＢ３、Ｂ４参照。
【００４３】
本実施形態では、エアコンスイッチ１６のオン信号Ｓ１１をＨｉｇｈ電圧、オフ信号Ｓ１２をＬｏｗ電圧とし、イグニッションスイッチ２１の起動信号Ｓ３１によりマイコン１８を動作モードとしたときに監視メモリ２３の入力設定値をＬｏｗ電圧に設定し、マイコン１８がウォッチドック機能によってリセットされた後、再起動される場合等の場合には、Ｈｉｇｈ電圧に設定するように構成しているが、エアコンスイッチ１６のオン信号Ｓ１１をＬｏｗ電圧、オフ信号Ｓ１２をＨｉｇｈ電圧とし、イグニションスイッチ２１の起動信号Ｓ３１によりマイコン１８を動作モードとしたときに監視メモリ２３の入力設定値をＨｉｇｈ電圧に設定し、マイコン１８がウォッチドック機能にとってリセットされた後、再起動される場合等には、Ｌｏｗ電圧に設定してもよい。
また、本発明は、車載用のヒーターコントロール装置以外のスイッチ制御装置としても、メインスイッチによって起動されるコントローラに接続されるモーメンタリスイッチの制御装置として、各種の機器に適用することができる。
【産業上の利用可能性】
【００４４】
メインスイッチの操作で動作モードとなるコントローラを備え、このコントローラがサブスイッチの命令信号にしたがって動作し、被制御装置の動作制御信号を出力するスイッチ制御装置に有効であり、例えば、車載用のヒーターコントロール装置に適用することができる。
【図面の簡単な説明】
【００４５】
【図１】実施形態と示した車載用のヒーターコントロール装置の正面図である。
【図２】上記したヒーターコントロール装置の回路例を簡略的に示したブロック図である。
【図３】エアコンの動作中にエアコンスイッチが故障し、オン信号が継続して出力される状態になったときに行うエアコン制御の説明図である。
【符号の説明】
【００４６】
１００  ヒーターコントロール装置
１４  操作ボタン
１５  ランプ
１６  エアコンスイッチ
１８  マイコン
１９  記憶部
２０  エアコン
２１  イグニッションスイッチ
２２  反転動作手段
２３  監視メモリ
２４  入力設定回路
２５  バッテリー
【図１】
2010129338.tif 000004
【図２】
2010129338.tif 000005
【図３】
2010129338.tif 000006